(57)【要約】【課題】  この発明は、従来の継ぎ手の利点を保持しながら、継ぎ手を簡単にし使いやすくするものである。【解決手段】  この発明は、第１の流体通路１４の終端を形成する第１の接続部１２と、第２の流体通路１８の終端を形成する第２の接続部１６とからなる流体操作システムに用いられる。第１の接続部１２は、フランジ２０を具備し、第２の接続部１６は、本体部２１と、リテーナー２２とを具備する。  ２つの接続部１２と１６を接続する場合は、第１の接続部１２を第２の接続部１６に挿入してはめ込んだあと、スライドリング３５に力をかけ続け、ボス４２から引き離して第１の位置にまで動かす。継ぎ手を切り離すには、カム肩部４２の方向にスライドリングを動かし、リングに力を加え続ければ２つの接続部は完全に切り離される。【選択図】      図１
2004239434.tif 000002
【特許請求の範囲】
【請求項１】
側方に突き出たフランジを有する第１の接続部と、
対となって連結された第１の接続部と第２の接続部を切り離し可能に保持するための対向する一対のリテーナーと本体とからなる第２の接続部とを具備する継ぎ手であって、
前記リテーナーは、第２の接続部の側方に当該接続部側面と間隙を設けたレバーを具備し、当該レバーの一端は第２の接続部本体の固定端に持着され、他方の自由端にはラッチが設けられ、当該レバーはまた、レバーの中間部に位置する支持壁で第２の接続部本体に持着され、外側に面するカム面が前記支え壁と前記固定端の間に設けられており、
第２の接続部のリテーナーを覆うように配置されたスライドリングであって、前記各リテーナーの前記ラッチに近接する第１の位置から、当該スライドリングが各リテーナーの前記カム面にかみこむ第２の位置へ動かすことができる、スライドリングを具備し、
各リテーナーの前記ラッチは、第１の接続部と第２の接続部とが切り離されることを防止するために第１の接続部のフランジとかみ合わせることが可能となっており、
各リテーナーの前記ラッチは、さらに、スライドリングが第１の位置にあるとき第１の接続部フランジに連結して固定し、スライドリングが第２の位置にあるとき接続部を切り離すために第１の接続部フランジから外れる、継ぎ手。
【請求項２】
各リテーナーは、スライドリングの動きを制限する役割を果たす、ラッチ肩部とカム肩部とを具備する請求項１に記載の継ぎ手。
【請求項３】
第１の接続部は、第１の流体通路の終端を形成するプラグであり、第２の接続部は、第２の流体通路の終端を形成するソケットである請求項１に記載の継ぎ手。
【請求項４】
各リテーナーは、リテーナーの自由端に、スライドリングとかみ合いラッチを側面の内側へ動かしてスライドリング機構を第２の接続部にのせるのを容易にする前方傾斜カム面を具備する請求項１に記載の継ぎ手。
【発明の詳細な説明】
【技術分野】
【０００１】
本発明は、「クイック接続」継ぎ手に関し、具体的には米国特許NO.6,257,626に公開されたクイック接続継ぎ手の改良に関する。
【背景技術】
【０００２】
米国特許NO.6,257,626に記載された継ぎ手は、多くの有利な特徴があり、海洋における流体を扱う分野で有用であることが証明されている。このような継ぎ手は、接続と取り外しを行うために手動で操作しなければならない。前述の継ぎ手の欠点は、効果的に接続又は切り離しをするためには２つの別々の手動操作をしなければならないという点である。すなわち、継ぎ手の連結又は切り離しのためには、ロックリングとリテーナーの両方を別々に操作しなければならない。従って、この形式の利点を保持しながら、継ぎ手を簡単にし使いやすくすることが望まれる。
【特許文献１】米国特許NO.6,257,626
【発明の開示】
【発明が解決しようとする課題】
【０００３】
従来の継ぎ手において、効果的に接続又は切り離しをするためには２つの別々の手動操作をしなければならないという問題がある。すなわち、継ぎ手の連結又は切り離しのためには、ロックリングとリテーナーの両方を別々に操作しなければならない。従って、この形式の利点を保持しながら、継ぎ手を簡単にし使いやすくすることが望まれる。
【課題を解決するための手段】
【０００４】
本発明は、側方に突き出たフランジを有する第１の接続部と、対となって連結された第１の接続部と第２の接続部を切り離し可能に保持するための対向する一対のリテーナーと本体とからなる第２の接続部を具備する継ぎ手に関する。各リテーナーは第２の接続部の側方にこの接続部側面と間隙を設けたレバーを具備し、当該レバーの一端は第２の接続部本体の固定端に持着され、他方の自由端にはラッチが設けられている。このレバーはまた、レバーの中間部に位置する支え壁で第２の接続部本体に接続され、外側に面するカム面が前記支え壁と前記固定端の間に設けられている。スライドリングが第２の接続部のリテーナーを覆うように配置され、このスライドリングは各リテーナーのラッチに近接する第１の位置から、スライドリングが各リテーナーのカム面にかみこむ第２の位置へ動かすことができる。リテーナーのラッチは、第１の接続部と第２の接続部とが切り離されることを防止するために第１の接続部のフランジとかみ合わせることが可能となっている。
【０００５】
各リテーナーのラッチは、スライドリングが第１の位置にあるとき第１の接続部フランジに連結して固定し、この各リテーナーのラッチは、スライドリングが第２の位置にあるとき接続部を切り離すために第１の接続部フランジから外れる。
【発明の効果】
【０００６】
本発明による継ぎ手によれば、手動の１挙動で接続又は切り離しができる。
【発明を実施するための最良の形態】
【０００７】
図１−５において、本発明の第１の実施例が、継ぎ手１０として示されている。本実施例において、この継ぎ手は、第１の流体通路１４の終端を形成する第１の接続部１２と、第２の流体通路１８の終端を形成する第２の接続部１６とからなる流体操作システムに用いられている。第１の接続部１２は、側面つまり半径方向に突き出たフランジ２０を具備する。第２の接続部１６は、本体部２１と、本体２１とわずかに隙間を持たせ、正反対に向き合わせて取り付けられたリテーナー２２とを具備する。
【０００８】
各リテーナーは、固定端２４から自由端２６に突き出ているレバー２３を具備し、このレバー２３は、支持壁つまり一体となった蝶番２８によりレバーの中央部で本体部２１と結合されている。レバー２３の自由端２６は、へり部３２と前方傾斜カム面３３とを有するラッチとして構成される。最後に、各リテーナー２２には、支持壁２８と固定端２４の間の点に、レバー２３の長さ方向に沿って外側に面するカム面３４が備わっている。
【０００９】
本実施例によれば、継ぎ手１０は、第２の接続部１６におかれ２つのリテーナー２２を覆うスライドリング３５を具備する。このスライドリング３５は、スライドすることで各リテーナーレバー２３と協調して作用する機構を持った、対向して設けられたチャンネル３６を有する。
【００１０】
このスライドリング３５は、レバー２３の自由端２６にスライドリング３５を単に押し込むことで第２の接続部１６に組み込まれる。このリングが前方傾斜カム面３３とかみ合うので、リテーナーレバーはリングがラッチ肩部４０を乗り越える程度に、内側に曲がる。一旦適切に、第２の接続部１６において、リテーナー２２にスライドリング３５をかぶせれば、スライドリング３５は、図４に示すようなラッチ肩部４０に隣接する第１の位置と、図３に示すようなカム肩部４２に隣接する第２の位置の間を簡単に動かすことができる。第１の位置では、スライドリング３５は、ラッチ３０の外側への動きを封じるので、フランジと嵌合した状態でラッチを固定する。第２の位置では、スライドリング３５は、カム面３４と嵌めあわされるので、各リテーナーレバー２３を押さえラッチ３０をフランジ２０の外側方向に動かす。このスライドリング３５は、ボスすなわち突起部４２とスライドリングの側壁４４との嵌合により第２の位置に保持される。
【００１１】
操作手順として、まず、２つの接続部１２と１６は、第１の接続部１２を第２の接続部１６に挿入してはめ込むことにより接続される。一旦完全にはめ込まれたら、スライドリング３５に力をかけ続け、ボス４２から引き離して図４に示す第１の位置にまで動かす。継ぎ手を切り離すには、カム肩部４２にスライドリングが隣接するような第２の位置の方向にスライドリングを単純に動かし、リングに力を加え続ければ２つの接続部は完全に切り離される。このように、継ぎ手１０は、手動の１挙動で接続又は切り離しができる。
【００１２】
図６と７は、本発明の他の実施例を描いたもので、継ぎ手５０は、紐すなわちバンド４６の端に取り付けられた２つの接続部５２と５４とを具備する。このようにして、継ぎ手は、背負い紐、ダッフルバッグ、カーシートなどのバックルとして使うのに理想的である。
【００１３】
本発明の精神から離れることなく、図示された実施例に対して様々に変更又は修正を行うことができるということは、当業者にとって理解できるであろう。このような変更や修正は、添付の特許請求の範囲に含まれる。
【図面の簡単な説明】
【００１４】
本発明を特徴付ける新規な点は、特許請求の範囲に示される。しかし、本発明の最良の形態は、発明の詳細な説明とそれに付随する効果と共に、以下の図面と関連付けながら、発明の詳細な説明を参照することでさらによく理解できるであろう。
【図１】本発明の好ましい実施形態において用いられる接続部品又は接続部の分解斜視図である。
【図２】図１で示した部品の部分断面及び接続部の部品の組み立て方法を示した側面図である。
【図３】２つの接続部品又は接続部が連結されるときの部分断面を描いた側面図である。
【図４】２つの接続部分が完全に対になり連結固定された状態の斜視図である。
【図５】図４の５−５を切り取ったの断面図である。
【図６】２つの接続部分が切り離された状態を示す、本発明の他の実施の形態を示した斜視図である。
【図７】２つの接続部分が完全に連結された状態を示す、本発明の他の実施の形態を示した斜視図である。
【符号の説明】
【００１５】
１０  継ぎ手
１２  第１の接続部
１４  第１の流体通路
１６  第２の接続部
１８  第２の流体通路
２０  フランジ
２１  本体部
２２  リテーナー
２３  レバー
２４  固定端
２６  自由端
２８  支持壁
３２  へり部
３３  前方傾斜カム面
３５  スライドリング
４０  ラッチ肩部
４２  カム肩部
【図１】
2004239434.tif 000003
【図２】
2004239434.tif 000004
【図３】
2004239434.tif 000005
【図４】
2004239434.tif 000006
【図５】
2004239434.tif 000007
【図６】
2004239434.tif 000008
【図７】
2004239434.tif 000009